(57)【要約】【課題】デジタルオーディオデータを録音して再生する際、再生音量の観点又はエフェクトの観点で適切な状態での再生を実現する。【解決手段】録音時には、切り換え部４９から出力されるデジタルオーディオデータをデジタルオーディオＩ／Ｆ１４を介して受け取り、それをハードディスク１３に書き込む。そして、再生時には、ハードディスク１３から読み出したデータをデジタルオーディオＩ／Ｆ１４から出力する。この出力されたデータがＤＡ変換部３２にてＤＡ変換されるまでの経路上では、ＭＩＤＩ音源部４３から出力されるデータの出力レベルに合わせてミキシングするためのデジタルボリューム（Ｖｏｌ６）４８での−１０ｄＢのゲインダウンとデジタルボリューム（Ｖｏｌ４）４５１における初期値−７ｄＢのゲインダウンであり、−１７ｄＢのゲインダウンを余儀なくされる。そこで録音時には、そのゲインダウン分をゲインアップした上で録音する。【選択図】  図２
2004295934.tif 000002
【特許請求の範囲】
【請求項１】
出力レベルの異なる２以上の音源から出力されるデジタル音信号をミキシングするミキシング手段と、
前記ミキシング手段によってミキシングされたデジタル音信号をアナログ音信号に変換するＤＡ変換手段と、
前記２以上の音源の内、最も出力レベルの低いもの以外の音源から前記ミキシング手段に入力する各経路上に設けられ、前記最も出力レベルの低いものの出力レベルに合わせるようゲインダウンを行うゲインダウン手段と、
デジタル音信号を記憶しておく記憶手段と、
前記ミキシング手段と前記ＤＡ変換手段の間の経路から取り出したデジタル音信号を前記記憶手段に記憶する録音制御手段と、
前記録音制御手段によって前記記憶手段に記憶されたデジタル音信号（以下、録音デジタル音信号と称す。）を、前記ゲインダウン手段が設けられた経路を介して出力させる再生制御手段と、
を備える録音再生装置であって、
前記録音制御手段は、前記デジタル音信号を前記記憶手段に記憶する際、前記再生制御手段によって前記録音デジタル音信号が出力される経路上に設けられた前記ゲインダウン手段によるゲインダウン分だけゲインアップして、前記デジタル音信号の記憶を行う
録音再生装置。
【請求項２】
音源から出力されるデジタル音信号をアナログ音信号に変換するＤＡ変換手段と、
前記音源と前記ＤＡ変換手段の間の経路上に設けられ、前記音源から出力されるデジタル音信号に対して所定の音響効果を付与可能であり、且つその音響効果の付与の有無を切替可能な音響効果付与手段と、
デジタル音信号を記憶しておく記憶手段と、
前記音響効果付与手段と前記ＤＡ変換手段の間の経路から取り出したデジタル音信号を前記記憶手段に記憶する録音制御手段と、
前記録音制御手段によって前記記憶手段に記憶されたデジタル音信号（以下、録音デジタル音信号と称す。）を、前記音響効果付与手段が設けられた経路を介して出力させる再生制御手段と、
を備える録音再生装置であって、
前記録音制御手段は、前記デジタル音信号を前記記憶手段に記憶する際、前記音響効果手段による音響効果の付与の有無を特定可能な情報（以下、音響効果付与有無特定情報と称す。）も対応させて記憶しておき、
前記再生制御手段は、前記録音デジタル音信号を出力させる際、前記記憶手段に対応して記憶されている前記音響効果付与有無特定情報に基づき、音響効果が付与された状態で録音されている場合には、前記音響効果付与手段に対して音響効果を付与しないよう制御する
録音再生装置。
【請求項３】
出力レベルの異なる２以上の音源から出力されるデジタル音信号をミキシングするミキシング手段と、
前記ミキシング手段によってミキシングされたデジタル音信号をアナログ音信号に変換するＤＡ変換手段と、
前記ミキシング手段と前記ＤＡ変換手段の間の経路上に設けられ、前記ミキシング手段から出力されるデジタル音信号に対して所定の音響効果を付与可能であり、且つその音響効果の付与の有無を切替可能な音響効果付与手段と、
前記２以上の音源の内、最も出力レベルの低いもの以外の音源から前記ミキシング手段に入力する各経路上に設けられ、前記最も出力レベルの低いものの出力レベルに合わせるようゲインダウンを行うゲインダウン手段と、
デジタル音信号を記憶しておく記憶手段と、
前記音響効果付与手段と前記ＤＡ変換手段の間の経路から取り出したデジタル音信号を前記記憶手段に記憶する録音制御手段と、
前記録音制御手段によって前記記憶手段に記憶されたデジタル音信号（以下、録音デジタル音信号と称す。）を、前記ゲインダウン手段が設けられた経路を介して出力させる再生制御手段と、
を備える録音再生装置であって、
前記録音制御手段は、前記デジタル音信号を前記記憶手段に記憶する際、前記再生制御手段によって前記録音デジタル音信号が出力される経路上に設けられた前記ゲインダウン手段によるゲインダウン分だけゲインアップして、前記デジタル音信号の記憶を行うと共に、前記音響効果手段による音響効果の付与の有無を特定可能な情報（以下、音響効果付与有無特定情報と称す。）も対応させて記憶しておき、
前記再生制御手段は、前記録音デジタル音信号を出力させる際、前記記憶手段に対応して記憶されている前記音響効果付与有無特定情報に基づき、音響効果が付与された状態で録音されている場合には、前記音響効果付与手段に対して音響効果を付与しないよう制御する
録音再生装置。
【請求項４】
請求項１又は３に記載の録音再生装置において、
さらに、前記ミキシング手段と前記ＤＡ変換手段の間の経路上に設けられた第二のミキシング手段と、
前記ミキシング手段と前記第二のミキシング手段の間の経路上に設けられ、前記ミキシング手段から出力されるデジタル音信号に対してゲインダウンを行う第二のゲインダウン手段を備えており、
前記録音制御手段は、前記第二のミキシング手段と前記ＤＡ変換手段の間の経路から取り出した前記デジタル音信号を前記記憶手段に記憶する際、前記第二のゲインダウン手段によるゲインダウン分もゲインアップして、前記デジタル音信号の記憶を行う
録音再生装置。
【請求項５】
請求項１，３，４の何れかに記載の録音再生装置において、
前記複数の音源の内の少なくとも一つは、ＭＩＤＩ音源である
録音再生装置。
【請求項６】
請求項５に記載の録音再生装置において、
前記複数の音源の内の少なくとも一つは、デジタル符号化された波形データを出力可能であって、前記ゲインダウン手段が設けられた経路に接続されている
録音再生装置。
【請求項７】
請求項６に記載の録音再生装置において、
前記デジタル符号化された波形データが前記記憶手段に記憶される
録音再生装置。
【請求項８】
請求項４に記載の録音再生装置において、
アナログ音信号を入力し、そのアナログ音信号をデジタル音信号に変換して前記第二のミキシング手段に出力可能なＡＤ変換手段を備える
録音再生装置。
【発明の詳細な説明】
【０００１】
【発明の属する技術分野】
本発明は、例えば録音機能を持つカラオケ装置のように、音声出力を再生する機能及びその再生音を録音する機能を備えた録音再生装置に関する。
【０００２】
【従来の技術及び発明が解決しようとする課題】
現状のカラオケ装置においては、伴奏データは音符を元にした楽曲演奏情報であるＭＩＤＩデータを用い、バックコーラス等の肉声（波形データ）についてはデジタルオーディオデータ（例えばＰＣＭデータ等）を用いている。そして、ＭＩＤＩデータについてはＭＩＤＩ音源を介して再生出力し、デジタルオーディオデータとミキシングした後で、マイクを介して入力された歌唱者の肉声をＡ／Ｄ変換したデジタルデータとさらにミキシングし、そのミキシングしたデジタル信号をＤ／Ａ変換してスピーカ等へ出力している。
【０００３】
このようなカラオケ装置にて一般的に使用されるＭＩＤＩ音源と、デジタルオーディオ音源（例えばＰＣＭ音源）とでは、その出力レベルが元々異なっている場合が多く、一般に、ＭＩＤＩ音源の出力レベルがＰＣＭ音源の出力レベルよりも小さい。そのため、ＭＩＤＩ音源からの出力信号とＰＣＭ音源からの出力信号をミキシングする場合には、（出力レベルの高い）ＰＣＭ音源からの出力信号の出力レベルをＭＩＤＩ音源の出力レベルに合わせる必要がある。したがって、ＰＣＭ音源からの出力信号を出力レベルの差分だけゲインダウンさせた後、両者をミキシングするようにしている。
【０００４】
ここで、例えばカラオケ演奏をハードディスク等の記憶媒体にデジタルデータとして録音しようとする場合は、スピーカ等へ出力するためのアナログ信号を生成するＤ／Ａ変換前のデジタルデータを取り出して、ハードディスク等に記録することとなる。この録音したものはデジタルオーディオ音源となるため、この録音したデジタルデータを再生させる場合には、上述のデジタルオーディオ音源からの出力信号用の経路を通して出力することとなる。
【０００５】
しかしながら、上述のように、このデジタルオーディオ音源からの出力信号はその出力経路上でゲインダウンされてしまうため、録音時よりも音量が下がった状態で出力されてしまうこととなる。その結果、例えば利用者がその都度、音量調整操作を行う必要が生じてくる。
【０００６】
なお、録音時に音量レベルを調整する技術自体は知られている（例えば、特許文献１参照）。しかし、この特許文献１に開示されているのは、無線通信装置において受信した音声を聞き取りやすい音量レベルに録音するという考え方だけであり、上述したカラオケ装置のように、再生時にゲインダウンを余儀なくされるといった特殊な事情を前提にしたものではない。
【０００７】
また、例えばカラオケ装置ではカラオケ演奏音に対して各種のエフェクト（音響効果）を付与することができるようになっている。例えば音質を調整するイコライザーや音圧を調整するリミッター・コンプレッサーなどの効果付与がなされる。したがって、このようなエフェクトが付与された状態で録音したデジタルオーディオデータを再度同じ経路を通して再生させると、再度エフェクトが付与され、二重にエフェクトがかかってしまうこととなる。エフェクトの種類によっては、二重にかかることで耳障りな状態になってしまうことも考えられる。
【０００８】
本発明は、上述した問題点を解決するためになされたものであり、デジタルオーディオデータを録音して再生する際、再生音量の観点又はエフェクトの観点で適切な状態での再生が実現できるようにする。
【０００９】
【特許文献１】
特開２００２−９４６５３号公報
【００１０】
【課題を解決するための手段】
（１）請求項１に係る録音再生装置は、ミキシング手段と、ＤＡ変換手段と、ゲインダウン手段と、記憶手段と、録音制御手段と、再生制御手段とを備えており、次のような動作を行う。つまり、ミキシング手段が、出力レベルの異なる２以上の音源から出力されるデジタル音信号をミキシングし、そのミキシングされたデジタル音信号をＤＡ変換手段がアナログ音信号に変換する。また、上述の２以上の音源の内、最も出力レベルの低いもの以外の音源からミキシング手段に入力する各経路上にはゲインダウン手段が設けられており、最も出力レベルの低いものの出力レベルに合わせるようゲインダウンを行う。そして録音制御手段は、デジタル音信号を記憶しておく記憶手段に、ミキシング手段とＤＡ変換手段の間の経路から取り出したデジタル音信号を記憶する。そして再生制御手段が、録音制御手段によって記憶手段に記憶されたデジタル音信号（録音デジタル音信号）を、ゲインダウン手段が設けられた経路を介して出力させる。
【００１１】
ここでさらに請求項１に係る録音再生装置においては、録音制御手段が、デジタル音信号を記憶手段に記憶する際、再生制御手段によって録音デジタル音信号が出力される経路上に設けられたゲインダウン手段によるゲインダウン分だけゲインアップして、デジタル音信号の記憶を行う。
【００１２】
このように、ミキシングに際してゲインダウンが余儀なくされることに鑑み、録音時には、そのゲインダウン分をゲインアップした上で録音することにより、同じ経路で再生しゲインダウン手段によるゲインダウンがあっても、音量変化がなくなり、再生音量の観点で適切な状態での再生が実現できる。
【００１３】
（２）請求項２に係る録音再生装置は、ＤＡ変換手段と、音響効果付与手段と、記憶手段と、録音制御手段と、再生制御手段とを備えており、次のような動作を行う。つまり、ＤＡ変換手段が音源から出力されるデジタル音信号をアナログ音信号に変換するのであるが、音源とＤＡ変換手段の間の経路上には音響効果付与手段が設けられており、音源から出力されるデジタル音信号に対して所定の音響効果を付与可能である。また、この音響効果付与手段は、その音響効果の付与の有無を切替可能でもある。そして録音制御手段は、デジタル音信号を記憶しておく記憶手段に、音響効果付与手段とＤＡ変換手段の間の経路から取り出したデジタル音信号を記憶する。そして再生制御手段が、録音制御手段によって記憶手段に記憶されたデジタル音信号（録音デジタル音信号）を、音響効果付与手段が設けられた経路を介して出力させる。
【００１４】
ここでさらに請求項２に係る録音再生装置においては、録音制御手段が、デジタル音信号を記憶手段に記憶する際、音響効果手段による音響効果の付与の有無を特定可能な情報（音響効果付与有無特定情報）も対応させて記憶しておく。そして再生制御手段が、録音デジタル音信号を出力させる際、記憶手段に対応して記憶されている音響効果付与有無特定情報に基づき、音響効果が付与された状態で録音されている場合には、音響効果付与手段に対して音響効果を付与しないよう制御する。
【００１５】
このように、音響効果が付与された状態で録音されている場合には、その音響効果が二重に付与されないように制御するため、エフェクトの観点で適切な状態での再生が実現できる。
（３）請求項３に係る録音再生装置は、請求項１及び２に示した機能を併有する録音再生装置であり、ミキシング手段と、ＤＡ変換手段と、音響効果付与手段と、ゲインダウン手段と、記憶手段と、録音制御手段と、再生制御手段とを備えている。そして、次のような動作を行う。つまり、ミキシング手段が、出力レベルの異なる２以上の音源から出力されるデジタル音信号をミキシングし、そのミキシングされたデジタル音信号をＤＡ変換手段がアナログ音信号に変換するのであるが、音源とＤＡ変換手段の間の経路上には音響効果付与手段が設けられており、音源から出力されるデジタル音信号に対して所定の音響効果を付与可能である。また、この音響効果付与手段は、その音響効果の付与の有無を切替可能でもある。また、上述の２以上の音源の内、最も出力レベルの低いもの以外の音源からミキシング手段に入力する各経路上にはゲインダウン手段が設けられており、最も出力レベルの低いものの出力レベルに合わせるようゲインダウンを行う。そして録音制御手段は、デジタル音信号を記憶しておく記憶手段に、ミキシング手段とＤＡ変換手段の間の経路から取り出したデジタル音信号を記憶する。そして再生制御手段が、録音制御手段によって記憶手段に記憶されたデジタル音信号（録音デジタル音信号）を、ゲインダウン手段が設けられた経路を介して出力させる。
【００１６】
ここでさらに請求項３に係る録音再生装置においては、録音制御手段が、デジタル音信号を記憶手段に記憶する際、再生制御手段によって録音デジタル音信号が出力される経路上に設けられたゲインダウン手段によるゲインダウン分だけゲインアップして、デジタル音信号の記憶を行うと共に、音響効果手段による音響効果の付与の有無を特定可能な情報（音響効果付与有無特定情報）も対応させて記憶しておく。
【００１７】
そして再生制御手段が、録音デジタル音信号を出力させる際、記憶手段に対応して記憶されている音響効果付与有無特定情報に基づき、音響効果が付与された状態で録音されている場合には、音響効果付与手段に対して音響効果を付与しないよう制御する。
【００１８】
このように、ミキシングに際してゲインダウンが余儀なくされることに鑑み、録音時には、そのゲインダウン分をゲインアップした上で録音することにより、同じ経路で再生しゲインダウン手段によるゲインダウンがあっても、音量変化がなくなる。また、音響効果が付与された状態で録音されている場合には、その音響効果が二重に付与されないように制御する。そのため、再生音量及びエフェクトの観点で適切な状態での再生が実現できる。
【００１９】
（４）また、請求項４に係る録音再生装置は、請求項１又は３に記載の録音再生装置において、さらに、ミキシング手段とＤＡ変換手段の間の経路上に設けられた第二のミキシング手段と、ミキシング手段と第二のミキシング手段の間の経路上に設けられ、ミキシング手段から出力されるデジタル音信号に対してゲインダウンを行う第二のゲインダウン手段を備えている。そしてさらに、録音制御手段が、第二のミキシング手段とＤＡ変換手段の間の経路から取り出したデジタル音信号を記憶手段に記憶する際、第二のゲインダウン手段によるゲインダウン分もゲインアップして、前記デジタル音信号の記憶を行う。
【００２０】
このようにすれば、第二のゲインダウン手段によるゲインダウン分も加味したゲインアップした上で録音することができ、同じ経路で再生し第一及び第二のゲインダウン手段によるゲインダウンがあっても、音量変化がなくなり、再生音量の観点で適切な状態での再生が実現できる。
【００２１】
（５）このような録音再生装置は、例えばカラオケ装置に適用できる。つまり、録音機能をカラオケ装置に付加し、カラオケ装置から出力させたデジタル音信号を録音し、それを再生して楽しむことができる。このような録音機能付きのカラオケ装置を想定した場合、例えば、複数の音源の内の少なくとも一つは、ＭＩＤＩ音源であることが考えられる（請求項５）。一般にカラオケ演奏は、ＭＩＤＩデータによる楽曲データに基づいて行われることが多いからである。
【００２２】
そしてさらに、複数の音源の内の少なくとも一つは、デジタル符号化された波形データを出力可能であって、ゲインダウン手段が設けられた経路に接続されているよう構成することが考えられる（請求項６）。従来技術の欄でも説明したように、バックコーラス等の肉声（波形データ）についてはＰＣＭデータ等の「デジタル符号化された波形データ」を用いていることが多いが、現状としては、ＰＣＭデータの出力レベルをゲインダウンしてからＭＩＤＩ出力とミキシングしている。したがって、このような現状から、カラオケ装置においては本発明のような工夫が非常に有効である。
【００２３】
なお、請求項７に示すように、このデジタル符号化された波形データを記憶手段に記憶すれば、記憶手段が共用できるため、コストダウン効果が得られる。
（６）また、請求項８に示すように、アナログ音信号を入力し、そのアナログ音信号をデジタル音信号に変換して第二のミキシング手段に出力可能なＡＤ変換手段を備えるようにしてもよい。カラオケ装置であれば当然ながら歌唱者の歌唱音声が存在するため、この歌唱音声もマイク等を介して入力し、カラオケ演奏とミキシングすれば、カラオケ演奏と自分の歌唱内容とを合わせたものを録音することができ、それを再生して楽しむことができる。
【００２４】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうる。
【００２５】
図１は、実施例のカラオケ装置の概略を示す構成ブロック図、図２は、音源・エフェクト部４をより詳しく示す構成ブロック図である。
図１に示すように、本実施例のカラオケ装置は、メイン制御部１、オーディオ制御部２、プリアンプ部３、音源・エフェクト部４を備えている。そして、プリアンプ部３には、オーディオパワーアンプ５とマイクロフォン６とが接続され、オーディオパワーアンプ５にはスピーカ７が接続されている。
【００２６】
メイン制御部１は、カラオケ装置全体の制御を司るものであり、ＣＰＵ１１を中心として、ＣＰＵ１１の作業メモリ部であるメモリ１２、後述する録音データや音源・エフェクト部４におけるエフェクト情報等を記憶しておく「記憶手段」としてのハードディスク（ＨＤＤ）１３、音源・エフェクト部４との間でデジタル音データを送受信するデジタルオーディオインターフェイス１４を備えている。
【００２７】
また、メイン制御部１のＣＰＵ１１は、オーディオ制御部２のＣＰＵ２１とＵＳＢインターフェースを介して接続（ＵＳＢ接続）されている。
プリアンプ部３は、マイクロフォン６からの入力信号を増幅するマイクアンプ３３、そのマイクアンプ３３からのアナログ信号をデジタルオーディオデータに変換する「ＡＤ変換手段」としてのＡＤ変換部３１、音源・エフェクト部４から出力されたデジタルオーディオデータをアナログ音声データに変換する「ＤＡ変換手段」としてのＤＡ変換部３２、そのＤＡ変換部３４からの出力信号を増幅するアンプ３４を備えている。なお、このアンプ３４からの出力信号がオーディオパワーアンプ５に入力するよう構成されている。
【００２８】
音源・エフェクト部４は、音源・エフェクト部４の各機能を制御するＣＰＵ４１、マイクロフォン６を介して入力され、プリアンプ部３のＡＤ変換部３１から出力されるデジタルオーディオデータに対して音響効果（エフェクト）を付与するボイスエフェクト部４２、ＣＰＵ４１から制御を受け、楽音データを出力するＭＩＤＩ音源部４３、メイン制御部１のデジタルオーディオインターフェイス１４から出力されたデジタルオーディオデータとＭＩＤＩ音源部４３からのデジタルオーディオデータを混合する「ミキシング手段」としての第一のデジタルミキサー４４、その第一のデジタルミキサー４４からのオーディオデータをエフェクトするミュージックエフェクト部４５、そのミュージックエフェクト部４５から出力されたデジタルオーディオデータとボイスエフェクト部４２から出力されたデジタルオーディオデータを混合し、プリアンプ部３のＤＡ変換部３２へ送る「第二のミキシング手段」としての第二のデジタルミキサー４６、メイン制御部１のデジタルオーディオインターフェイス１４から第一のデジタルミキサー４４へのデジタルオーディオデータ出力経路上に設けられた「ゲインダウン手段」としてのデジタルボリューム（図２においてＶｏｌ６で示すもの）４８を備えている。
【００２９】
なお、音源・エフェクト部４のＣＰＵ４１は、ＭＩＤＩインターフェイスでオーディオ制御部２のＣＰＵ２１を経由して、メイン制御部１のＣＰＵ１１と制御信号の送受信を行うことができるよう構成されている。なお、音源・エフェクト部４のＣＰＵ４１が、メイン制御部１のＣＰＵ１１と制御信号を直接送受信できるよう構成にしてもよい。また、これらメイン制御部１のＣＰＵ１１、オーディオ制御部２のＣＰＵ２１、音源・エフェクト部４のＣＰＵ４１が「録音制御手段」、「再生制御手段」に相当する。
【００３０】
次に、音源・エフェクト部４の構成に関して、図２を参照してさらに説明する。なお、図１と同じ構成については同じ符号を付している。
図２において示したボイスエフェクト（エコー／リバーブ等）４２１と、デジタルボリューム（Ｖｏｌ３）４２２及び音声エフェクト部（エフェクト２）４２３は、図１のボイスエフェクト部４２を構成する。デジタルボリューム（Ｖｏｌ３）４２２はボイスエフェクト（エコー／リバーブ等）４２１からのデジタルオーディオデータをレベルを変更するものであり、音声エフェクト部（エフェクト２）４２３は、デジタルボリューム（Ｖｏｌ３）４２２から出力されるデジタルオーディオデータに対して音響効果を付与して、第二のデジタルミキサー４６へ出力するものである。なお、ボイスエフェクト（エコー／リバーブ等）４２１から出力されたデジタルオーディオデータに対してレベル変更や音響効果を付さずに出力する経路も設けられており、この経路では固定的に−７ｄＢのゲインダウンを行ったオーディオデータとボイスエフェクト（エコー／リバーブ等）４２１からそのまま出力されたオーディオデータとがミキシングされて出力１となり、ＤＡ変換等されてボーカル出力となる。そして、このＤＡ変換する前のデジタルオーディオデータの状態で、後述する切り換え部４９へも出力される。
【００３１】
また、図２において示したデジタルボリューム（Ｖｏｌ４）４５１及び音声エフェクト部（エフェクト１）４５２は、図１のミュージックエフェクト部４５を構成する。デジタルボリューム（Ｖｏｌ４）４５１は、第一のデジタルミキサー４４から出力されるデジタルオーディオデータのレベルを変えるものであり、音声エフェクト部（エフェクト１）４５２は、デジタルボリューム（Ｖｏｌ４）４５１から出力されるデジタルオーディオデータに対して音響効果を付与して、第二のデジタルミキサー４６へ出力するものである。
【００３２】
また、図２に示すように、この第二のデジタルミキサー４６から出力されたデジタルオーディオデータは、音声エフェクト部（エフェクト３）４７によって音響効果が付された後、デジタルボリューム（Ｖｏｌ９）を介してプリアンプ部３のＤＡ変換部３２へ出力される。このデジタルボリューム（Ｖｏｌ９）とＤＡ変換部３２との間から分岐した経路がメイン制御部１のデジタルオーディオインターフェイス１４に接続されており、デジタルオーディオデータがデジタルオーディオインターフェイス１４へ出力されることとなる。
【００３３】
なお、音声エフェクト部（エフェクト１）４５２及び音声エフェクト部（エフェクト３）４７が「音響効果付与手段」に相当する。
また、ＭＩＤＩ音源部４３から出力されたデジタルオーディオデータは、サンプリングコンパレータ及びデジタルボリューム（Ｖｏｌ７，８）を介して第一のデジタルミキサー４４へ入力するよう構成されている。
【００３４】
また、上述したメイン制御部１のデジタルオーディオインターフェイス１４から第一のデジタルミキサー４４へのデジタルオーディオデータ出力経路上に設けられたデジタルボリューム（Ｖｏｌ６）４８をはじめとし、デジタルボリューム（Ｖｏｌ３）４２２、デジタルボリューム（Ｖｏｌ４）４５１、デジタルボリューム（Ｖｏｌ９）、デジタルボリューム（Ｖｏｌ７，８）に関しては、音源・エフェクト部４のＣＰＵ４１からの制御信号によって、デジタルオーディオデータのレベル変更が可能になっている。
【００３５】
但し、本実施例では、デジタルボリューム（Ｖｏｌ９）、デジタルボリューム（Ｖｏｌ７，８）に関しては変更量の初期値０ｄＢとして固定（つまり、実質的にゲイン変更をしない）されており、また、デジタルボリューム（Ｖｏｌ６）４８に関しては変更量の初期値−１０ｄＢ（つまりゲインダウン）として固定されている。これは、本実施例では、ＭＩＤＩ音源部４３から出力されるデジタルオーディオデータの出力レベルが−２１ｄＢＶであるのに対して、メイン制御部１のデジタルオーディオインターフェイス１４から出力されるデジタルオーディオデータの出力レベルが−１１ｄＢＶであるため、第一のデジタルミキサー４４へ入力する時点で両デジタルオーディオデータのレベルを合わせておくために、メイン制御部１のデジタルオーディオインターフェイス１４から出力されるデジタルオーディオデータに対し、デジタルボリューム（Ｖｏｌ６）４８にて−１０ｄＢのゲインダウンを行っているのである。なお、第一のデジタルミキサー４４と音声エフェクト部（エフェクト１）４５２の間に設けられたデジタルボリューム（Ｖｏｌ４）４５１、及びボイスエフェクト（エコー／リバーブ等）４２１と音声エフェクト部（エフェクト２）４２３との間に設けられたデジタルボリューム（Ｖｏｌ３）４２２については、変更量の初期値が−７ｄＢに設定されている。したがって、第二のデジタルミキサー４６へ入力する時点では、デジタルオーディオデータのレベルは−２８ｄＢＶとなっている。
【００３６】
また、音声エフェクト部（エフェクト２）４２３、音声エフェクト部（エフェクト１）４５２は、音声エフェクト部（エフェクト３）４７についても、音源・エフェクト部４のＣＰＵ４１からの制御信号によって、付与する音響効果内容を変更可能となっている。
【００３７】
また、音声エフェクト部（エフェクト３）４７からの出力に対してレベル変更を加えるデジタルボリューム（Ｖｏｌ９）とＤＡ変換部３２との間から分岐した経路がメイン制御部１のデジタルオーディオインターフェイス１４に接続されており、この経路上には、切り換え部４９が設けられている。この切り換え部４９は、第二のデジタルミキサー４６から出力されたデジタルオーディオデータと、ボイスエフェクト（エコー／リバーブ等）４２１から出力されレベル変更や音響効果を付さずに出力されるデジタルオーディオデータの何れかを切り換えてメイン制御部１のデジタルオーディオインターフェイス１４へ送る。
【００３８】
［録音時の動作］
次に、本実施例のカラオケ装置を用いて録音する際の動作について説明する。操作パネル９を介してユーザから録音モードの設定操作があれば、その操作内容に応じて、メイン制御部１のＣＰＵ１１はマイク録音かミュージック録音かを判断し、オーディオ制御部２のＣＰＵ２１へ選択信号を送る。そして、その選択信号は、オーディオ制御部２のＣＰＵ２１から音源・エフェクト部４のＣＰＵ４１へ送られ、ＣＰＵ４１は、切り換え部４９が音声エフェクト部４５４側になるように制御する。
【００３９】
このような録音モードの設定がなされた後、操作パネル９を介して録音開始の指示が入力されると、メイン制御部１のＣＰＵ１１は、図４のフローチャートに示すような録音処理が開始する。
まず、マイク録音かミュージック録音かを判断し（Ｓ１０）、マイク録音でなければ（Ｓ１０：Ｎ）、第一のデジタルミキサー４４と音声エフェクト部（エフェクト１）４５２の間に設けられたデジタルボリューム（Ｖｏｌ４）４５１の設定値を（音源・エフェクト部４のＣＰＵ４１及びオーディオ制御部２のＣＰＵ２１を介して）読み込み（Ｓ２０）、その初期値（ここでは−７ｄＢ）との差分を取ってその値をＨＤＤ１３内に準備された録音データファイルのヘッダー（図３参照）に書き込む（Ｓ３０）。その後、Ｓ４０へ移行する。なお、マイク録音であれば（Ｓ１０：Ｙ）、Ｓ２０，Ｓ３０の処理は実行せずに、下記に示すＳ４０へ移行する。
【００４０】
Ｓ４０では、音声エフェクト部（エフェクト１）４５２がＯＮ状態か否か、及びＯＮ状態の場合にはそのエフェクトパラメータをＣＰＵ４１及びＣＰＵ２１を介して把握し、そのＯＮ／ＯＦＦを区別する情報、及びＯＮの場合にはそのエフェクトパラメータを録音データファイルのヘッダー（図３参照）に書き込む。なお、ここでは、ＯＮの場合は１、ＯＦＦの場合は０を書き込む。
【００４１】
次に、音声エフェクト部（エフェクト２）４２３がＯＮ状態か否か、及びＯＮ状態の場合にはそのエフェクトパラメータをＣＰＵ４１及びＣＰＵ２１を介して把握し、そのＯＮ／ＯＦＦを区別する情報、及びＯＮの場合にはそのエフェクトパラメータを録音データファイルのヘッダー（図３参照）に書き込む。なお、ここでも、ＯＮの場合は１、ＯＦＦの場合は０を書き込む。
【００４２】
次に、音声エフェクト部（エフェクト３）４７がＯＮ状態か否かをＣＰＵ４１及びＣＰＵ２１を介して把握し、そのＯＮ／ＯＦＦを区別する情報を録音データファイルのヘッダー（図３参照）に書き込む。なお、ここでも、ＯＮの場合は１、ＯＦＦの場合は０を書き込む。
【００４３】
以上で、実際の録音前のヘッダー情報の書き込み処理が終了し、実際の録音をスタートさせる（Ｓ７０）。つまり、音源・エフェクト部４の切り換え部４９から出力されるデジタルオーディオデータを、メイン制御部１のデジタルオーディオインターフェイス１４を介して受け取り、それをハードディスク１３の録音データファイルのヘッダーの後に書き込んでいく。
【００４４】
この際、まず、録音モードがマイク録音か否かを判断し（Ｓ８０）、マイク録音であれば（Ｓ８０：Ｙ）、入力したデジタルオーディオデータを１７ｄＢゲインアップさせ（Ｓ９０）、ハードディスク１３の録音データファイルに書き込む（Ｓ１１０）。一方、マイク録音でなければ（Ｓ８０：Ｎ）、入力したデジタルオーディオデータを（差分＋初期相対差）分ゲインアップさせ（Ｓ１００）、ハードディスク１３の録音データファイルに書き込む（Ｓ１１０）。これを録音終了まで繰り返し（Ｓ１２０）、録音が終了すると、本処理を終了する。
【００４５】
なお、Ｓ９０にて１７ｄＢという固定値だけゲインアップしているのは、次の理由からである。図２を参照して説明したように、メイン制御部１のデジタルオーディオインターフェイス１４から出力されるデジタルオーディオデータの出力レベルが−１１ｄＢＶであるのに対して、切り換え部４９からデジタルオーディオインターフェイス１４へ出力されるデジタルオーディオデータは−２８ｄＢとなっている。そのため、この差分をゲインアップさせた状態で録音する。
【００４６】
一方、Ｓ１００では（差分＋初期相対差）分だけゲインアップさせている。ここで、差分とは、Ｓ３０にて算出したデジタルボリューム（Ｖｏｌ４）４５１の設定値の初期値（−７ｄＢ）との差分である。また、初期相対差は、図３においてデジタルオーディオインターフェイス１４から出力されたデジタルオーディオデータが、再度デジタルオーディオインターフェイス１４へ入力するまでの経路上において存在する３つのデジタルボリューム、すなわちデジタルボリューム（Ｖｏｌ６）４８、デジタルボリューム（Ｖｏｌ４）４５１、デジタルボリューム（Ｖｏｌ９）がそれぞれ初期値に設定されている場合にそれらによってゲインダウンされる総量を意味する。本実施例では、図３に示すように、デジタルボリューム（Ｖｏｌ６）４８、デジタルボリューム（Ｖｏｌ４）４５１、デジタルボリューム（Ｖｏｌ９）の初期値がそれぞれ−１０ｄＢ、−７ｄＢ、０ｄＢであるため、総量として−１７ｄＢ分ゲインダウンしている。したがって、初期相対差は１７ｄＢとなる。そして、この経路でのデジタルオーディオデータを録音する場合には、デジタルボリューム（Ｖｏｌ４）４５１のゲインダウン量を調整する可能性があるため、調整された場合を反映するため、初期値との差分、例えば初期値−７ｄＢから−４ｄＢに変更した場合であれば−７ｄＢ−（−４ｄＢ）＝−３ｄＢが差分となる。したがって、この場合には、差分−３ｄＢと初期相対差は１７ｄＢを加算した１４ｄＢをゲインアップさせた状態で録音することとなる。
【００４７】
なお、録音終了時にハードディスク１３内の録音データファイルは図３のようになる。つまり、ヘッダーには、マイク録音かミックス録音かの区別（ここでは、マイク録音の場合は１、ミックス録音の場合は０を書き込む）、デジタルボリューム（Ｖｏｌ４）４５１の設定値の初期値との差分、音声エフェクト部（エフェクト１）４５２のＯＮ／ＯＦＦ及びそのパラメータ、音声エフェクト部（エフェクト２）４２３のＯＮ／ＯＦＦ及びそのパラメータ、音声エフェクト部（エフェクト３）４７のＯＮ／ＯＦＦが書き込まれる。また、ヘッダーに続いて録音データが書き込まれる。なお、この内、音声エフェクト部（エフェクト１）４５２のＯＮ／ＯＦＦ、音声エフェクト部（エフェクト２）４２３のＯＮ／ＯＦＦ、音声エフェクト部（エフェクト３）４７のＯＮ／ＯＦＦが、「音響効果付与有無特定情報」に相当する。
【００４８】
このようなヘッダーを持つため、録音時の出力状況の情報を含んだ録音データが保存されることとなる。
［再生時の動作］
次に、本実施例のカラオケ装置を用いて録音したデータを再生する際の動作について図５のフローチャートを参照して説明する。
【００４９】
ＣＰＵ１１はデータ再生が指示されたハードディスク１３内の録音データファイルのヘッダー情報を読み（Ｓ２１０）、マイク録音か否かを判断する（Ｓ２２０）。そして、マイク録音の場合には（Ｓ２２０：Ｙ）、現在、音声エフェクト部（エフェクト２）４２３がＯＮ状態か否かを判断し（Ｓ２３０）、ＯＮ状態であれば（Ｓ２３０：Ｙ）、音声エフェクト部（エフェクト１）４５２に対して、ヘッダーに記録されているエフェクト２パラメータを設定して（Ｓ２４０）、Ｓ２７０へ移行する。なお、音声エフェクト部（エフェクト２）４２３がＯＦＦ状態の場合には（Ｓ２３０：Ｎ）、Ｓ２４０の処理を実行せずにＳ２７０へ移行する。
【００５０】
一方、マイク録音でない場合、つまりミックス録音である場には（Ｓ２２０：Ｎ）、現在、音声エフェクト部（エフェクト１）４５２がＯＮ状態か否かを判断し（Ｓ２５０）、ＯＮ状態であれば（Ｓ２３０：Ｙ）、音声エフェクト部（エフェクト１）４５２をＯＦＦ状態にする制御信号を音源・エフェクト部４のＣＰＵ４１へ送って音声エフェクト部（エフェクト１）４５２をＯＦＦ状態にし（Ｓ２６０）、Ｓ２７０へ移行する。なお、音声エフェクト部（エフェクト１）４５２がＯＦＦ状態の場合は（Ｓ２５０：Ｎ）、Ｓ２６０の処理を実行せずにＳ２７０へ移行する。
【００５１】
Ｓ２７０では、現在、音声エフェクト部（エフェクト３）４７がＯＮ状態か否かを判断し、ＯＮ状態であれば（Ｓ２７０：Ｙ）、音声エフェクト部（エフェクト３）４７をＯＦＦ状態にしにして（Ｓ２８０）、Ｓ２９０へ移行する。なお、音声エフェクト部（エフェクト３）４７がＯＦＦ状態の場合は（Ｓ２７０：Ｎ）、Ｓ２８０の処理を実行せずにＳ２９０へ移行する。
【００５２】
Ｓ２９０では、録音データファイル中の録音データを録音データをＨＤＤ１３から読み込み（Ｓ２９０）、デジタルオーディオインターフェイス１４から出力する（Ｓ３００）。このＳ２９０、Ｓ３００の処理を再生終了まで繰り返し（Ｓ３１０）、再生が終了すると、本処理が終了する。
【００５３】
なお、図４のフローチャートに示す処理が録音制御手段の処理に相当し、図５のフローチャートに示す処理が再生制御手段の処理に相当する。
このように、本実施例のカラオケ装置によれば次のような効果が得られる。
（ａ）録音時には、音源・エフェクト部４の切り換え部４９から出力されるデジタルオーディオデータを、メイン制御部１のデジタルオーディオインターフェイス１４を介して受け取り、それをハードディスク１３に記録する。そして、再生時には、ハードディスク１３から読み出したデジタルオーディオデータをデジタルオーディオインターフェイス１４から出力する。
【００５４】
このデジタルオーディオインターフェイス１４から出力されたデジタルオーディオデータがＤＡ変換部３２においてＤＡ変換されるまでの経路上で、３つのデジタルボリュームを通ることとなる。この内、デジタルボリューム（Ｖｏｌ９）については初期値０ｄＢとして固定（つまり、実質的にゲイン変更をしない）されているため問題ないが、デジタルボリューム（Ｖｏｌ６）４８では固定的に−１０ｄＢのゲインダウンを行っている。これは、ＭＩＤＩ音源部４３から出力されるデジタルオーディオデータの出力レベルが−２１ｄＢＶであるのに対して、メイン制御部１のデジタルオーディオインターフェイス１４から出力されるデジタルオーディオデータの出力レベルが−１１ｄＢＶであるため、第一のデジタルミキサー４４へ入力する時点で両デジタルオーディオデータのレベルを合わせておくためである。
【００５５】
したがって、録音データを再生する場合には、必ずこのミキシングに際して余儀なくされる−１０ｄＢのゲインダウンが存在する。また、デジタルボリューム（Ｖｏｌ４）４５１においては初期値−７ｄＢのゲインダウンがなされるため、初期値としては−１７ｄＢのゲインダウンを余儀なくされる。
【００５６】
そこで、本実施例では、このようにゲインダウンを余儀なくされる再生経路を持つことを鑑み、録音時には、そのゲインダウン分をゲインアップした上で録音している。このようなゲインアップをしない場合には、例えば−２８ｄＢで録音されたデータがさらに−１７ｄＢのゲインダウンを受けてしまい、−４５ｄＢというレベルで出力されてしまうこととなる。これでは、再生時に音量を上げるための調整操作を、ユーザが例えばオーディオパワーアンプ５（図１参照）に設けられたアナログボリューム調整用の操作子を操作して行う必要が生じてくる。それに対して本実施例の場合には、予めゲインアップしてあるため、上述した経路で再生し、デジタルボリューム（Ｖｏｌ６）４８での−１０ｄＢのゲインダウン及びデジタルボリューム（Ｖｏｌ４）４５１におけるゲインダウンがなされても、録音時の音量に対する変化がなくなり、再生音量の観点で適切な状態での再生が実現できる。
【００５７】
（ｂ）また、本実施例では、録音データの再生時に音響効果（エフェクト）を二重にかけないようにしている。つまり、録音時に音声エフェクト部（エフェクト１）４５２や音声エフェクト部（エフェクト３）４７がＯＮ状態であった場合には、そのままの状態で再生してしまうとエフェクトが二重にかかってしまい、耳障りな状態になってしまうことも考えられる。そこで、録音時のエフェクトの状態も記憶しておき、二重にエフェクトをかけないようにすることで、エフェクトの観点でも、適切な状態での再生が実現できる。
【００５８】
（ｃ）また、本実施例では、マイク６から入力した歌唱音声のみを録音することもできる。そして、その録音の際、音声エフェクト部（エフェクト２）４２３によって所定のエフェクトがかけられた状態でスピーカ７，８から出力されていたとすると、この音声エフェクト部（エフェクト２）４２３によるエフェクトパラメータを録音データファイルのヘッダーに記憶しておき、再生時には、再生経路上の音声エフェクト部（エフェクト１）４５２に、その記憶しておいたエフェクトパラメータによるエフェクトを付与するように制御しているため、再生時にも、録音時と同じエフェクト状態でスピーカ７，８から出力されることとなる。
【００５９】
（ｄ）本実施例では、カラオケ装置に適用しているため、カラオケの歌唱者が自分の歌唱したカラオケ曲に関して録音し、それを再生させて楽しみことができる。
［その他の実施例］
（１）上記実施例では、第一のデジタルミキサー４４にて、メイン制御部１のデジタルオーディオインターフェイス１４から出力されたデジタルオーディオデータとＭＩＤＩ音源部４３からのデジタルオーディオデータを混合する構成であり、メイン制御部１のデジタルオーディオインターフェイス１４から第一のデジタルミキサー４４へのデジタルオーディオデータ出力経路上にデジタルボリューム（Ｖｏｌ６）４８を設けている。これは、ＭＩＤＩ音源部４３から出力されるデジタルオーディオデータの出力レベルが−２１ｄＢＶであるのに対して、メイン制御部１のデジタルオーディオインターフェイス１４から出力されるデジタルオーディオデータの出力レベルが−１１ｄＢＶである、というように、ミキシング対象の複数のでデジタル音信号の出力レベルが異なることを前提としている。
【００６０】
したがって、このような前提が妥当するものであれば、上記実施例の組合せに限らずどのような音源の組合せであっても適用できる。また、第一のデジタルミキサー４４にて３つ以上の音源からのデジタル音信号を混合するような場合であっても同様に実現できる。
【００６１】
その混合対象のデジタル音信号としては、ハードディスク１３に格納されているデジタルデータに基づくものに限定されることはなく、マイクから入力されたアナログ音声信号をＡＤ変換して得られたデジタル音信号であってもよい。
（２）上記実施例では、図３に示すように、録音データファイル中のヘッダー部分に録音時のゲインダウン状態やエフェクト情報を書き込むようにしたが、このような録音時のゲインダウン状態やエフェクト情報のみを抽出して、録音データとは別個に録音情報ファイルとしてハードディスク１３に記憶しておき、録音データの再生時に、対応する録音情報ファイルを読み出して制御するようにしてもよい。
【図面の簡単な説明】
【図１】実施例のカラオケ装置の概略を示す構成ブロック図である。
【図２】実施例のカラオケ装置の音源・エフェクト部をより詳しく示す構成ブロック図である。
【図３】実施例のカラオケ装置のハードディスク内に格納される録音データの説明図である。
【図４】実施例のカラオケ装置による録音時の動作を示すフローチャートである。
【図５】実施例のカラオケ装置による再生時の動作を示すフローチャートである。
【符号の説明】
１…メイン制御部、２…オーディオ制御部、３…プリアンプ部、４…音源・エフェクト部、５…オーディオパワーアンプ、６…マイクロフォン、７，８…スピーカ、９…操作パネル、１１，２１，４１…ＣＰＵ、１２…メモリ、１３…ハードディスク、１４…デジタルオーディオインターフェイス、３１……ＡＤ変換部、３２…ＤＡ変換部、３３…マイクアンプ、３４…アンプ、４２  ボイスエフェクト部、４３…ＭＩＤＩ音源部、４４…第一のデジタルミキサー、４５…ミュージックエフェクト部、４６…第二のデジタルミキサー、４７，４２３，４５２…音声エフェクト部、４８，４２２，４５１…デジタルボリューム、４９…切り換え部、４２１…ボイスエフェクト。
【図１】
2004295934.tif 000003
【図２】
2004295934.tif 000004
【図３】
2004295934.tif 000005
【図４】
2004295934.tif 000006
【図５】
2004295934.tif 000007